(57)【特許請求の範囲】
【請求項１】
超電導線材をコイル状に巻回するとともに、前記超電導線材の両端部に電極を取付け、両電極間に電源を接続して通電するようにした超電導コイルであって、前記超電導コイルは超電導線材間を絶縁することなく巻回して形成されるとともに、超電導コイルにはその内周面近傍に、周方向に間隔をおいて配置された複数の磁界変動検出素子を備え、該磁界変動検出素子が磁界変動を検出したとき電源から供給される電流を遮断する異常検出機構を備えた超電導コイルの保護装置を使用し、電源から超電導コイルに電流を供給して超電導コイルが運転状態にある場合において、磁界変動検出素子が磁界変動を検出したとき、電源から供給される電流を遮断するとともに、超電導コイルの貯蔵電力に基づく電流を、外周に位置する超電導線材に流し、その内周側に隣接する超電導線材へと流し、さらに超電導コイルの中心に向かって流し、超電導コイル全体が発熱し、超電導コイル全体で貯蔵電力を消費して運転を停止することを特徴とする超電導コイルの保護方法。
【請求項２】
前記複数の磁界変動検出素子のうちいずれかの磁界変動検出素子が磁界変動を検出したとき、電源から供給される電流を遮断する請求項１に記載の超電導コイルの保護方法。
【請求項３】
前記磁界変動検出素子はピックアップコイルである請求項１又は請求項２に記載の超電導コイルの保護方法。
【請求項４】
前記超電導線材は、基板上に中間層を介して希土類系酸化物超電導体による超電導層が形成され、その超電導層上に保護層が形成され、それらの外周部に安定化層が形成されて構成されている請求項１から請求項３のいずれか一項に記載の超電導コイルの保護方法。
【発明の詳細な説明】
【技術分野】
【０００１】
本発明は、例えば希土類系酸化物超電導体により形成された超電導線材を巻回してなる超電導コイルの使用時にクエンチ（常電導転移）等の異常が生じたとき、十分な保護機能を発揮しつつ、運転を停止することができる超電導コイルの保護方法に関する。
【背景技術】
【０００２】
一般に、希土類系酸化物超電導体による超電導線材を用いた超電導コイルにおいては、使用時にクエンチ等の異常が発生してもその異常状態が周囲に拡大し難いことから異常検出が困難で、異常検出までに局部的に高温部（ヒートスポット）が生じ、超電導コイルの特性が低下する。この超電導線材として例えば、基板上に中間層を介して希土類系酸化物超電導体による超電導層が形成され、その超電導層上に銀等の保護層を介して銅等による安定化層が形成されたものが知られている。そして、常電導転移が生じたとき、超電導層から安定化層にも電流が流れるようにすることで発熱を抑え、超電導線材の損傷を防止することが考えられる。
【０００３】
しかしながら、超電導コイルには電力が貯蔵されていることから、異常発生時には迅速に通電を停止するとともに、貯蔵電力を消費することが必要である。このため、超電導コイルには別途保護回路を設け、異常時にはその保護回路に電流を誘導し、保護回路中の抵抗負荷により超電導コイルの貯蔵電力を消費し、運転を停止するようになっている。
【０００４】
この種の超電導コイル装置が、例えば特許文献１に記載されている。この超電導コイル装置は、超電導コイルが常電導転移したときにそのエネルギー（貯蔵電力）を消費するための保護回路と、超電導コイルに並列に接続され、前記保護回路とは別個の抵抗とを備えた装置である。そして、超電導コイルが常電導転移したとき、超電導コイルのもつエネルギーを保護回路で消費するとともに、保護回路とは別個の抵抗でエネルギーを消費して常電導転移部の拡散を図るようになっている。
【先行技術文献】
【特許文献】
【０００５】
【特許文献１】特開平５−６７５２４号公報
【発明の概要】
【発明が解決しようとする課題】
【０００６】
前述した特許文献１に記載されている従来構成の超電導コイル装置においては、超電導コイルとは別に超電導コイルのもつ貯蔵電力を消費する保護回路を設けなければならず、またその保護回路には超電導コイルのインダクタンスに見合う抵抗を設定し、超電導コイルに接続しなければならない。そのため、超電導コイル装置の部品点数が多くなるとともに、構成が複雑になるという欠点があった。
【０００７】
さらに、この超電導コイル装置では、保護回路とは別の抵抗で発生する電圧を検出し、超電導コイルと電源との間に設けられた開閉スイッチを開いて超電導コイルへの通電を遮断するように構成されている。この抵抗に発生する電圧変動は、常電導転移による異常が微小である場合には非常に小さく、電圧変動の検出がノイズの影響を受けやすく、検出精度が低いという問題もあった。
【０００８】
そこで、本発明の目的とするところは、構成を簡易にでき、常電導転移時に超電導コイルを保護しながら円滑に運転を停止することができる超電導コイルの保護方法を提供することにある。
【課題を解決するための手段】
【０００９】
上記の目的を達成するために、請求項１に記載の発明の超電導コイルの保護方法は、超電導線材をコイル状に巻回するとともに、前記超電導線材の両端部に電極を取付け、両電極間に電源を接続して通電するようにした超電導コイルであって、前記超電導コイルは超電導線材間を絶縁することなく巻回して形成されるとともに、超電導コイルにはその内周面近傍に、周方向に間隔をおいて配置された複数の磁界変動検出素子を備え、該磁界変動検出素子が磁界変動を検出したとき電源から供給される電流を遮断する異常検出機構を備えた超電導コイルの保護装置を使用し、電源から超電導コイルに電流を供給して超電導コイルが運転状態にある場合において、磁界変動検出素子が磁界変動を検出したとき、電源から供給される電流を遮断するとともに、超電導コイルの貯蔵電力に基づく電流を、外周に位置する超電導線材に流し、その内周側に隣接する超電導線材へと流し、さらに超電導コイルの中心に向かって流し、超電導コイル全体が発熱し、超電導コイル全体で貯蔵電力を消費して運転を停止することを特徴とするものである。
【００１０】
請求項２に記載の発明の超電導コイルの保護方法は、請求項１に係る発明において、前記複数の磁界変動検出素子のうちいずれかの磁界変動検出素子が磁界変動を検出したとき、電源から供給される電流を遮断するものである。
請求項３に記載の発明の超電導コイルの保護方法は、請求項１又は請求項２に係る発明において、前記磁界変動検出素子はピックアップコイルである。
【００１１】
請求項４に記載の発明の超電導コイルの保護方法は、請求項１から請求項３のいずれか一項に係る発明において、前記超電導線材は、基板上に中間層を介して希土類系酸化物超電導体による超電導層が形成され、その超電導層上に保護層が形成され、それらの外周部に安定化層が形成されて構成されている。
【発明の効果】
【００１５】
本発明の超電導コイルの保護方法によれば、構成を簡易にでき、常電導転移時に超電導コイルを保護しながら円滑に運転を停止することができるという効果を奏する。
【図面の簡単な説明】
【００１６】
【図１】実施形態における異常検出機構を備えた超電導コイルの保護装置を模式的に示す概略図。
【図２】シングルパンケーキコイルに４つのピックアップコイルを配置した状態を示す概略斜視図。
【図３】超電導線材を示す断面図。
【図４】超電導コイルに通電した状態での電流の流れを示す概略平面図。
【図５】超電導コイルの異常検出機構が異常を検出したときの超電導コイル内の電流の流れを示す概略平面図。
【図６】時間と、コイルの磁界、コイルの電圧又はコイルの電流との関係を示すグラフ。
【図７】本発明の別例を示し、ダブルパンケーキコイルに３つのピックアップコイルを配置した状態を示す概略斜視図。
【図８】本発明のさらなる別例を示し、異形形状のシングルパンケーキコイルに２つのピックアップコイルを配置した状態を示す概略平面図。
【発明を実施するための形態】
【００１７】
以下、本発明の実施形態を図１〜図５に基づいて詳細に説明する。
図３に示すように、テープ状をなす超電導線材１１は、基板１２上に中間層１３を介して超電導層１４が形成され、その超電導層１４上に保護層１５が設けられ、それらの外周部に銅製の安定化層１６が被覆されて構成されている。
【００１８】
前記基板１２は、ニッケル合金（ハステロイ）、銀、銀合金等の金属により、例えば厚さ５０〜１００μｍ、幅４〜１０ｍｍに形成される。中間層１３は、ガドリニウム・ジルコニウム酸化物（Ｇｄ・Ｚｒ酸化物）、ランタン（Ｌａ）・マンガン（Ｍｎ）系酸化物、酸化マグネシウム（ＭｇＯ）、イットリウム安定化ジルコニウム（ＹＳＺ）、バリウム・ジルコニウム酸化物（Ｂａ・Ｚｒ酸化物）、酸化セリウム（ＣｅＯ２）等の化合物により、例えば厚さ５００ｎｍに形成される。
【００１９】
超電導層１４は、希土類系酸化物超電導体のＣＶＤ法（化学蒸着法）により、例えば厚さ約１μｍに形成される。希土類元素としては、ランタン（Ｌａ）、ネオジム（Ｎｄ）、サマリウム（Ｓｍ）、ユウロピウム（Ｅｕ）、ガドリニウム（Ｇｄ）、ジスプロシウム（Ｄｙ）、ホルミウム（Ｈｏ）、エルビウム（Ｅｒ）、イットリウム（Ｙ）、イッテルビウム（Ｙｂ）等が挙げられる。希土類系酸化物としては、ＲＥ・Ｂａ・Ｃｕ・Ｏ等が挙げられる。但し、ＲＥは希土類元素を表す。この超電導層１４として具体的には、イットリウム・バリウム・銅酸化物（Ｙ・Ｂａ・Ｃｕ酸化物）、ランタン・バリウム・銅酸化物（Ｌａ・Ｂａ・Ｃｕ酸化物）等が挙げられる。
【００２０】
前記保護層１５は、銀、銀合金等の金属によって形成され、超電導層１４を被覆して保護するように構成されている。この保護層１５は、例えば銀等の金属のスパッタリングによって２〜８μｍ程度の厚さに形成される。
【００２１】
前記安定化層１６は銅により形成され、超電導状態が不安定になって抵抗が生じた場合でも、超電導層１４に流れている電流を保護層１５から安定化層１６に迂回させて後述する超電導コイルの超電導特性を安定化させる機能を有している。安定化層１６を形成する銅には銅合金も含まれる。この安定化層１６の厚さは通電電流の大きさに応じて厚くなるが、実用的には５〜３０μｍであることが好ましい。安定化層１６の厚さが５μｍより薄い場合には、安定化層１６を流れる電流量が低下し、安定化層１６としての機能が十分に発揮できなくなって好ましくない。その一方、安定化層１６の厚さが３０μｍより厚い場合には、超電導線材１１の剛性が高くなって取扱いが難しくなる傾向にあり、超電導コイルの形成が困難になったりして好ましくない。
【００２２】
この安定化層１６は、銅めっきによって形成されることが好ましい。銅めっきは電気めっきの常法に従って行われるが、硫酸銅等のめっき液を用い、電極間に所要の電流を流すことにより行われる。この銅めっきにより、安定化層１６を容易かつ安定した状態で形成することができる。
【００２３】
図２に示すように、超電導コイルとしてのシングルパンケーキコイル（単にコイルともいう）１７は、前述したテープ状の超電導線材１１をコイル状（渦巻状）に１段で巻回して形成される。この超電導線材１１をコイル状に巻回する際には、超電導線材１１間に電気絶縁材料は介在されておらず、超電導線材１１間が直接接触した状態つまり超電導線材１１の安定化層１６間が直接接触した状態で巻回される。前記コイル１７の内周側における超電導線材１１の端部及び外周側における超電導線材１１の端部には、銅等の導電性の良い金属により形成された一対の電極１８、１９が接続されている。なお、図１〜図５の各図においては、コイル１７は理解を容易にするため模式的に描かれ、各層の厚さや超電導線材１１の厚さは実際より厚く描かれている。
【００２４】
図１に示すように、シングルパンケーキコイル１７の両電極１８、１９間には電源２０が接続線２１により接続され、電源２０からの電流がコイル１７へ供給されるようになっている。前記接続線２１には開閉スイッチ２２が設けられ、コイル１７にクエンチ、停電、冷凍機停止等による異常事態（常電導転移）が発生したとき、コイル１７へ電流の供給を遮断できるようになっている。
【００２５】
前記シングルパンケーキコイル１７の内周部近傍には、磁界変動検出素子としての４つのピックアップコイル（シングルコイル）２３が周方向に間隔をおいて配置されている。これらのピックアップコイル２３は、コイル１７が常電導転移に基づいて磁界変動を生じたとき、その磁界変動を検出する。コイル１７の内周部は外周部に比べて磁界が強いことから、ピックアップコイル２３による磁界変動の検出精度を高めることができる。
【００２６】
前記４つのピックアップコイル２３はそれぞれ入力線２４により制御装置２５に接続され、その制御装置２５は出力線２６により前記開閉スイッチ２２に接続されている。そして、４つのピックアップコイル２３のいずれかが磁界変動を検出したとき、その信号が入力線２４を介して制御装置２５に入力され、制御装置２５から制御信号が出力線２６を介して開閉スイッチ２２に送られて開閉スイッチ２２が開放され、電源２０からコイル１７に供給される電流を遮断するように構成されている。
【００２７】
異常検出機構２７は、前記４つのピックアップコイル２３、制御装置２５、開閉スイッチ２２等により構成されている。また、シングルパンケーキコイル１７の保護装置１０は、シングルパンケーキコイル１７、両電極１８、１９、電源２０、異常検出機構２７等により構成されている。
【００２８】
次に、上記のように構成されたシングルパンケーキコイル１７の保護装置１０について作用を説明する。
さて、本実施形態のシングルパンケーキコイル１７を常法に従い冷却して超電導状態とし、その超電導状態でコイル１７の両電極１８、１９間に電源２０から所定の電流を通電すると、図４の二点鎖線の矢印に示すように電流は一方の電極１９から超電導線材１１中の超電導層１４を通って他方の電極１８へと流れる。このとき、電気抵抗のない超電導状態で通電を継続することができ、高電流密度で大電流を通電でき、電力を貯蔵できるとともに、コイル１７の周囲に強磁場を発生することができる。
【００２９】
この超電導状態において、シングルパンケーキコイル１７を構成する超電導線材１１の一部が何らかの理由で超電導状態を逸脱して常電導状態に移行する常電導転移が発生する場合がある。このとき、超電導層１４を流れていた電流は安定化層１６へ流れ、さらに超電導線材１１間を流れて、コイル１７の巻回数が見かけ上減少するため、コイル１７から発せられる磁界は急激に低下するように変動する。この磁界変動を前記４つのピックアップコイル２３のいずれかが検出する。いずれかのピックアップコイル２３によって検出された磁界変動に基づく入力信号は制御装置２５に送られ、制御装置２５から制御信号が開閉スイッチ２２に送られて直ちに開閉スイッチ２２が図１の二点鎖線に示すように開放される。そのため、電源２０からコイル１７へ供給される電流は遮断されると同時に、図５の二点鎖線の矢印に示すようにコイル１７内に貯蔵された電力による電流は、外周に位置する超電導線材１１の超電導層１４から安定化層１６へ流れた後、その内周側に隣接する超電導線材１１へと流れ、さらにコイル１７の中心に向って瞬時に流れる。
【００３０】
すなわち、シングルパンケーキコイル１７内では急激な電流変化によって誘導電圧が生じ、超電導線材１１間に電流が流れてコイル１７全体の安定化層１６が結合した状態になり、見かけ上銅のバルクのような負荷となってコイル１７全体が発熱して貯蔵電力が消費される。その結果、コイル１７とは別に保護回路を設けて貯蔵電力を消費させずとも、超電導線材１１の局部的な発熱を抑制でき、コイル１７の損傷を回避することができる。
【００３１】
以上詳述した実施形態によって得られる効果を以下にまとめて記載する。
（１）本実施形態のシングルパンケーキコイル１７の保護装置１０において、コイル１７は超電導線材１１間を絶縁することなく巻回して形成されるとともに、コイル１７には磁界変動検出素子を有する異常検出機構２７が備えられている。そのため、この磁界変動検出素子がクエンチ等の異常発生に伴う磁界変動を検出したとき電源２０から供給される電流を遮断して電源２０等への過電流の流入を抑制することができるとともに、保護回路を用いることなく、コイル１７内の局所的温度上昇を抑えながらコイル１７の運転を停止することができる。
【００３２】
従って、本実施形態の保護装置１０によれば、構成を簡易にでき、常電導転移時にシングルパンケーキコイル１７を保護しながら円滑に運転を停止することができる。
（２）前記磁界変動検出素子はピックアップコイル２３である。このため、簡易構造で汎用の検出素子により、磁界変動を精度良く検出することができる。
【００３３】
（３）前記ピックアップコイル２３は、シングルパンケーキコイル１７の内周部に配置されている。このコイル１７の内周部においては、通電時に強い磁界が発生しており、磁界変動の検出精度を一層向上させることができる。
【００３４】
（４）前記ピックアップコイル２３は複数個配置されている。そのため、複数のピックアップコイル２３のいずれかが磁界変動を検出したとき、コイル１７の運転を迅速に停止することができる。
【００３５】
（５）前記超電導線材１１は、基板１２上に中間層１３を介して希土類系酸化物超電導体による超電導層１４が形成され、その超電導層１４上に保護層１５が設けられ、それらの外周部に安定化層１６が形成されて構成されている。このため、コイル１７は、超電導特性を良好に発揮できるとともに、常電導転移時にはその運転を速やかに停止することができる。
【００３６】
（６）シングルパンケーキコイル１７の保護方法は、シングルパンケーキコイル１７が運転状態にある場合において、磁界変動検出素子が磁界変動を検出したとき、電源２０から供給される電流を遮断し、巻回されている超電導線材１１間に電流を流してコイル１７全体で貯蔵電力を消費して運転を停止するものである。従って、常電導転移時にコイル１７に損傷を与えることなく保護しながら運転を円滑に停止することができる。
【実施例】
【００３７】
次に、実施例を挙げて前記実施形態をさらに具体的に説明する。
（実施例１）
まず、この実施例１では、幅４ｍｍ、厚さ５０μｍのニッケル合金（ハステロイ）製の基板１２上にランタン・マンガン系酸化物及び酸化マグネシウムの中間層１３を介してイットリウム系の超電導物質による超電導層１４を形成した。次いで、その上に銀のスパッタリングによる保護層１５を形成し、その外周に銅めっきによる安定化層１６を形成し、厚さ約１００μｍのイットリウム系の超電導線材１１（液体窒素中、自己磁場での臨界電流１３０Ａ）を作製した。そして、この超電導線材１１を１段に３０回巻回して、内径６０ｍｍ、外径６６ｍｍのシングルパンケーキコイル１７を製作した。
【００３８】
そして、得られたシングルパンケーキコイル１７を液体窒素中にて、０．５Ａ／ｓの速度で励磁電流（通電電流）を１２５Ａまで通電した際のコイルの磁界（最大磁界、ｍＴ）の変化とコイルの両電極１８，１９間の電圧（Ｖ）の変化を測定し、その結果を図６に示した。なお、図６における実線はコイル１７の磁界（ｍＴ）の変化、破線はコイル１７の電流（１０２Ａ）の変化及び二点鎖線はコイル１７の電圧（Ｖ）の変化を示す。
【００３９】
図６に示した結果より、シングルパンケーキコイル１７の磁界はコイル電流が臨界電流付近に到ると、増大傾向が鈍化した。さらにコイル電流を増加させると、突然磁界が減少すると同時に、コイル電圧が急上昇した。従って、超電導線材１１間が絶縁されていないシングルパンケーキコイル１７において、常電導転移により通電状態が崩れると、コイル１７の磁界が急速に低下することを確認できた。
【００４０】
次いで、図１に示すように、コイル１７の内周面近傍に４つのピックアップコイル２３を配置し、そのピックアップコイル２３が磁界変動を検出すると直ちに開閉スイッチ２２を開放するようにした。ピックアップコイル２３は、直径０．２５ｍｍの銅線を内径５ｍｍで巻いて作製した。
【００４１】
そして、超電導状態でシングルパンケーキコイル１７を運転していたところ、ピックアップコイル２３によりコイル電流８７．５Ａで磁界が急激に低下したことが検出され、その結果開閉スイッチ２２が開放されてコイル１７の運転が停止した。その後、コイル１７の状態を目視により確認したところ、外観に変化は見られなかった。さらに、コイル１７に通電して励磁したところ、前記図６と同様に、電流の上昇に伴って磁界が上昇する結果が得られたことから、コイル１７に劣化箇所は認められなかった。従って、この実施例１では、コイル１７とは別に保護回路を設けることなく、コイル１７の貯蔵電力に基づく発熱によるコイル１７の損傷を抑えることができ、超電導特性を維持できることが判明した。
【００４２】
ここで、コイル１７の発熱量をＰＥＥＣ（Partial Element Equivalent Circuit、部分要素等価回路）解析と熱解析を連成した解析プログラムを用いて解析し、評価した。なお、ＰＥＥＣ解析は、積分方程式による電磁場解析の手法の１つで、電磁界と回路を結合した解析に適した三次元の全波モデル化手法であって、公知の手法であるため、その説明を省略する。
【００４３】
まず、コイル１７の内径を６０ｍｍ、超電導線材１１の巻数を６０とし、巻回された超電導線材１１間の接触抵抗を７０、３５０及び７００μΩ・ｃｍ２の３通りに設定した場合のコイル１７の温度上昇について解析した。コイル１７のインダクタンスは４３２μＨ、通電電流は３０Ａ、貯蔵エネルギーは１９４．５ｍＪで、断熱状態であるとして温度上昇を解析した。その結果、接触抵抗の大きさにかかわらず、コイル１７の温度上昇は０．０１７Ｋであった。従って、コイル１７の温度上昇は僅かであり、超電導線材１１間が絶縁されていないシングルパンケーキコイル１７の熱的安定性が示された。
【００４４】
次に、コイル１７の内径を６０ｍｍ、超電導線材１１間の接触抵抗を７０μΩ・ｃｍ２とし、超電導線材１１の巻数を１２０、２４０及び３６０とした場合の温度上昇を解析した。解析条件と温度上昇を表１に示した。
【００４５】
【表１】
0006486651.tif 000002
表１に示した結果より、超電導線材１１の巻数が増加すると、接触抵抗による消費エネルギーは一定の増加を示すが、コイル１７の温度上昇は小さいものであった。従って、超電導線材１１間が絶縁されていないシングルパンケーキコイル１７は、常電導転移による異常事態に対して高い熱的安定性を有することが明らかになり、保護抵抗を用いることなく、コイル１７を保護しつつその運転を停止することが可能となった。
【００４６】
なお、前記実施形態を次のように変更して具体化することも可能である。
・前記超電導コイルとしてダブルパンケーキコイルを使用してもよい。すなわち、図７に示すように、ダブルパンケーキコイル２８は、テープ状の超電導線材１１が図示しない内周枠の周りに巻回されて形成されたコイル２８ａ，２８ｂがセパレート枠２９を介して上下２段に積層されて形成されている。ダブルパンケーキコイル２８の内周部には、例えば３つのピックアップコイル２３が配置される。
【００４７】
・前記磁界変動検出素子として、ホール素子、ファラデー素子等を使用してもよい。
・図８に示すように、シングルパンケーキコイル１７として異形形状のものを使用してもよい。この場合には、ピックアップコイル２３を、周囲と比べて強い磁界が発生し磁界変動の検出精度を高めることができるコイル１７の屈曲部の内周部に配置することが好ましい。
【００４８】
・前記超電導線材１１として、ビスマス系酸化物の超電導線材を使用してもよい。このビスマス系酸化物の超電導体としては、ビスマス（Ｂｉ）を含む酸化物により形成される超電導物質であり、例えばＢｉ２２２３すなわちＢｉ２Ｓｒ２Ｃａ２Ｃｕ３Ｏ１０−α（αは０〜０．１５）、Ｂｉ２２１２すなわちＢｉ２Ｓｒ２ＣａＣｕ２Ｏ８−α（αは０〜０．１５）等が用いられる。このビスマス系酸化物の超電導体が展伸性を有する金属材料のシース層中に分散されて構成される。
【符号の説明】
【００４９】
１０…保護装置、１１…超電導線材、１２…基板、１３…中間層、１４…超電導層、１５…保護層、１６…安定化層、１７…超電導コイルとしてのシングルパンケーキコイル、１９…電極、２０…電源、２３…磁界変動検出素子としてのピックアップコイル、２７…異常検出機構、２８…超電導コイルとしてのダブルパンケーキコイル。
【図１】
0006486651.tif 000003
【図２】
0006486651.tif 000004
【図３】
0006486651.tif 000005
【図４】
0006486651.tif 000006
【図５】
0006486651.tif 000007
【図６】
0006486651.tif 000008
【図７】
0006486651.tif 000009
【図８】
0006486651.tif 000010